(57)【特許請求の範囲】
【請求項１】
紙幣を投入することで遊技に必要なメダルや硬貨、小球、又はカードを貸し出す貸し機を複数設け、複数の貸し機を連結するように搬送ラインを設け、貸し機に投入された紙幣を貸し機内の送り路を介して搬送ラインに送り込み、同搬送ラインによって所定の場所に搬送して集められるようにした紙幣搬送回収方法において、投入された紙幣を収容する収容部を貸し機内部に設け、搬送ラインが紙幣を受け入れられる状態では投入された紙幣を送り路で搬送ラインに送り込み、搬送ラインが紙幣を受け入れられない状態では投入された紙幣を収容部に送って収容するようにした遊技設備における紙幣搬送回収方法。
【請求項２】
収容部から送り路に紙幣を戻す戻し路を設け、搬送ラインが紙幣を受け入れられる状態になると収容部に収容した紙幣を同戻し路を介して送り路に戻して搬送ラインに送るようにした請求項１記載の遊技設備における紙幣搬送回収方法。
【請求項３】
収容部から搬送ラインに紙幣を送る副送り路を設け、収容部に収容した紙幣を同副送り路を介して搬送ラインに送るようにした請求項１記載の遊技設備における紙幣搬送回収方法。
【請求項４】
収容部が扉体の密閉された空間で、同収容部に収容した紙幣を扉を開いて人が手で回収できるようにした請求項１〜３いずれかに記載の遊技設備における紙幣搬送回収方法。
【請求項５】
送り路に沿ってローラー又はベルトを設け、紙幣をローラーやベルトの間に挾むようにして紙幣を送るようにした請求項１〜３いずれかに記載の遊技設備における紙幣搬送回収方法。
【発明の詳細な説明】
【０００１】
【発明の属する技術分野】
本発明は、遊技設備で使用するメダルや硬貨、小球、又はカードを投入された紙幣に応じて払い出す貸し機を複数設け、複数の貸し機を連結するように搬送ラインを設けて貸し機に投入された紙幣を搬送ラインで所定の場所に送って集めて回収できるようにした遊技設備における紙幣搬送回収方法に関する。
【０００２】
【従来の技術】
従来の遊技設備において、複数のゲーム機の間に複数設けられる貸し機に投入された紙幣は、すぐに搬送ラインで送られ所定の位置に設けられる金庫に集められていた。
また、貸し機は紙幣を１枚しか保持できず、すぐに搬送ラインで送るようになっていた。
従来の搬送ラインにおいて紙幣詰まりが発生すると、必ず紙幣詰まりを解除しなければ、搬送ラインの送り先である金庫から見て紙幣詰まり箇所より遠い位置の貸し機では紙幣を受け付けることができないため、メダルや小球を貸し出すこともできなかった。
従来の搬送ラインにおいて、紙幣が搬送ラインを通過中の場合には、紙幣は貸し機内で待機した状態となり、その間は紙幣を受け付けることができないため、メダルや小球を貸し出すこともできなかった。
従来の搬送ラインにおいて、紙幣詰まりが解除できない場合及びトラブルが起こって正常な状態に復帰できない場合、メダルや小球を貸し出すこともできず、ゲーム機が満足に使用できず営業等にも大きな影響を与えてしまう。
従来の搬送ラインにおいて、紙幣詰まりが解除できない場合には、詰まった紙幣が回収できないので全売上の確認も出来ないこととなっていた。
【０００３】
【発明が解決しようとする課題】
本発明が解決しようとする課題は、従来のこれらの問題点を解消し、搬送ラインに紙幣詰まりが発生していても、搬送ラインがトラブルで使用できなくても、搬送ラインを紙幣が通過中であっても、常に連続して紙幣を投入してメダルや小球などの貸し出しが行え、人が手で紙幣の回収を行うことも可能で、中断することなく遊技を行うことができ、営業的面からも非常に好ましい遊技設備における紙幣搬送回収方法を提供することにある。
【０００４】
【課題を解決するための手段】
かかる課題を解決した本発明の構成は、
１）  紙幣を投入することで遊技に必要なメダルや硬貨、小球、又はカードを貸し出す貸し機を複数設け、複数の貸し機を連結するように搬送ラインを設け、貸し機に投入された紙幣を貸し機内の送り路を介して搬送ラインに送り込み、同搬送ラインによって所定の場所に搬送して集められるようにした紙幣搬送回収方法において、投入された紙幣を収容する収容部を貸し機内部に設け、搬送ラインが紙幣を受け入れられる状態では投入された紙幣を送り路で搬送ラインに送り込み、搬送ラインが紙幣を受け入れられない状態では投入された紙幣を収容部に送って収容するようにした遊技設備における紙幣搬送回収方法
２）  収容部から送り路に紙幣を戻す戻し路を設け、搬送ラインが紙幣を受け入れられる状態になると収容部に収容した紙幣を同戻し路を介して送り路に戻して搬送ラインに送るようにした前記１）記載の遊技設備における紙幣搬送回収方法
３）  収容部から搬送ラインに紙幣を送る副送り路を設け、収容部に収容した紙幣を同副送り路を介して搬送ラインに送るようにした前記１）記載の遊技設備における紙幣搬送回収方法
４）  収容部が扉体の密閉された空間で、同収容部に収容した紙幣を扉を開いて人が手で回収できるようにした前記１）〜３）いずれかに記載の遊技設備における紙幣搬送回収方法
５）  送り路に沿ってローラー又はベルトを設け、紙幣をローラーやベルトの間に挾むようにして紙幣を送るようにした前記１）〜３）いずれかに記載の遊技設備における紙幣搬送回収方法
にある。
【０００５】
【作用】
本発明では、紙幣を貸し機に投入した際に、搬送ラインが紙幣を受け入れて搬送できる状態の場合には、紙幣を送り路で搬送ラインに送り込み、搬送ラインが紙幣を受け入れられない状態の場合には、貸し機に投入された紙幣を収容部に送って収容する。よって搬送ラインが紙幣を受け入れられない場合でも貸し機は紙幣を受け付けて処理できる。
収容部から送り路に紙幣を戻す戻し路を設けたものは、搬送ラインが紙幣を受け入れられない状態であるために収容部に送って収容した紙幣を、その後搬送ラインが紙幣を受け入れられる状態になると戻し路によって紙幣を送り路に戻して搬送ラインに送り込むようにし、収容部に紙幣を収容したままにしないようにできる。
収容部から搬送ラインに紙幣を送る副送り路を設けたものは、搬送ラインが紙幣を受け入れられない状態であるために収容部に送って収容した紙幣を、その後搬送ラインが紙幣を受け入れられる状態になると副送り路によって搬送ラインに送り込むようにし、収容部に紙幣を収容したままにしないようにする。
収容部に収容した紙幣を人が手で回収できるようにしたものは、搬送ラインが使用できない状態が長い時間となった場合などに収容部の収容限度を超えないよう人の手で紙幣を回収できるようにする。
送り路に沿ってローラー又はベルトを設けたものは、紙幣をローラーやベルトの間に挟んですべったり詰まらないようにして紙幣を送ることができるようにする。
【０００６】
【発明の実施の形態】
遊技設備のゲーム機がパチスロ機を用いたものである場合には、横に一列に所定の間隔あけてパチスロ機を並べたもの又は仕切り壁等を間に有する背中合わせ状態で横に二列に所定の間隔あけてパチスロ機を並べたものを島と呼び、島の端部に紙幣を集めて回収するのが一般的である。
紙幣のメダル貸し機への投入の向き及びその後の搬送の向きは、縦でも横でもどちらでもよい。
紙幣通過センサーには、光センサーや磁気センサー、タッチセンサーなどがあり、確実に紙幣を検知できるものが望ましい。
紙幣識別センサーには、光学式のものや磁気式のものがあり、確実に紙幣の真偽、種類を識別できるものが望ましい。
制御装置は、メダル貸し機内に設けてもメダル貸し機の外部に設けてもよいが不正防止の観点から外部に露出せず、人の手が簡単に届かないようにするのが好ましい。
紙幣を送るのには、ローラーやベルト、空気流、高低差を利用したシュートなどがあり、紙詰まりを起こさず、紙幣のシワを伸ばす効果があるものが、好ましい。
状況に応じて使い分けるように戻し路と副送り路を設けるようにしてもよい。
【０００７】
【実施例】
本発明の各実施例について図面を参照して具体的に説明する。
実施例１（図１〜１１参照）
図１〜１１に示す実施例１は、貸し機に投入された紙幣を送り路で搬送ラインに送り込むようにし、搬送ラインが紙幣を受け入れない場合には紙幣を収容部に分岐路で送るようにし、その後、収容部の紙幣を戻し路で送り路に戻して搬送ラインに送れるようにした遊技設備における紙幣搬送回収方法の例である。
図１は実施例１の遊技設備における紙幣搬送回収方法を用いた遊技設備のメダル貸し機・合流部・搬送ラインの説明図である。
図２は実施例１の遊技設備における紙幣搬送回収方法を用いた遊技設備の説明図である。
図３は実施例１の遊技設備における紙幣搬送回収方法を用いた遊技設備のメダル貸し機に投入された紙幣を搬送ラインに送る状態を示す説明図である。
図４は実施例１の遊技設備における紙幣搬送回収方法を用いた遊技設備のメダル貸し機に投入された紙幣を収容部に送る状態を示す説明図である。
図５は実施例１の遊技設備における紙幣搬送回収方法を用いた遊技設備のメダル貸し機の収容部での紙幣を保持する状態を示す説明図である。
図６は実施例１の遊技設備における紙幣搬送回収方法を用いた遊技設備のメダル貸し機の収容部での紙幣を保持する状態を示す説明図である。
図７は実施例１の遊技設備における紙幣搬送回収方法を用いた遊技設備のメダル貸し機の収容部から紙幣を送り路に戻す状態を示す説明図である。
図８は実施例１の遊技設備における紙幣搬送回収方法を用いた遊技設備の紙幣保管部の説明図である。
図９は実施例１の遊技設備における紙幣搬送回収方法を用いた遊技設備の説明図である。
図１０は実施例１の遊技設備における紙幣搬送回収方法を用いた遊技設備の説明図である。
図１１は実施例１の遊技設備における紙幣搬送回収方法を用いた遊技設備のメダル貸し機の制御装置の処理の流れを示すフローチャートである。
１は遊技設備、２はメダル貸し機、３は紙幣投入口、４は送り路、４ａ〜４ｊは送りローラー、４ｋ〜４ｏはベルトローラー、４ｐはベルト、４ｑはフレーム、４ｒはギア、４ｓはモーター、５は分岐路、５ａ，５ｂは送りローラー、５ｃはフレーム、６は収容部、６ａは紙幣押さえ部、６ｂはローラー、６ｃは紙幣受け部、６ｄはスプリング、６ｅは紙幣止め部、６ｆは開閉扉、６ｇはストッパ、６ｈは伸縮部、６ｉはラック、６ｊはピニオン、６ｋはモーター、６ｍはギア、６ｎはモーター、７は戻し路、７ａ〜７ｆはローラー、７ｇはフレーム、８は切替部、８ａは扇状ラック、８ｂはピニオン、８ｃはモーター、９は紙幣送出口、１１は合流部、１１ａ〜１１ｆはローラー、１１ｇは送りベルト、１１ｈはギア、１１ｉはモーター、１２は搬送ライン、１２ａは送りベルト、１２ｂは紙幣通過センサー、１２ｃは制御装置、１２ｄはギア、１２ｅはモーター、１３は制御装置、１４は紙幣通過センサー、１５は紙幣識別センサー、２０は紙幣保管部、２１はゲーム機、Ｂは紙幣である。
【０００８】
本実施例１では、メダルを投入して使用するゲーム機２１を設けている。ゲーム機２１は複数を所定の間隔で並列させるようにし、次に、ゲーム機２１で使用するメダルを投入される紙幣に応じて貸し出すメダル貸し機２をゲーム機２１の間に設ける。メダル貸し機２は、ゲーム機２１の左右いずれかに位置するようにして、ゲームを行う人がゲーム機２１から離れずにメダルを貸し出されてゲームを行えるようにする。
このメダル貸し機２は、図１に示すように前面に紙幣投入口３を設け、紙幣投入口３より直線状に送り路４を設ける。送り路４は、フレーム４ｑに沿って、送りローラー４ａ〜４ｊ及びベルトローラー４ｋ〜４ｏにベルト４ｐを掛け渡したものを配置し、紙幣Ｂを送りローラーと送りローラー又はベルト４ｐと送りローラーで挾むようにし、送りローラー４ａ〜４ｊ及びベルトローラー４ｌ〜４ｏはフリーな回転自在の状態にし、ベルトローラー４ｋは図９に示すようにギア４ｒ，モーター４ｓによって駆動されてベルト４ｐが駆動されるようにする。
次に、送り路４を構成するベルトローラー４ｋに沿ってベルト４ｐが送り路４から分岐し徐々に離れる部分に、フレーム５ｃ、送りローラー５ａ，５ｂを設けて、紙幣Ｂをターンさせながら送り路４と略平行になるよう送る分岐路５を設ける。
【０００９】
次に、分岐路５の送り先となる位置に収容部６を設ける。収容部６は、まずスプリング６ｄで支持した紙幣受け部６ｃを収容部６に送られた紙幣Ｂを受け止めるように設ける。
紙幣受け部６ｃの送り路４側で上下両側には、ストッパ６ｇを設け、スプリング６ｄによって送り路４側に付勢される紙幣受け部６ｃを所定の位置に止めるようにする。次に、紙幣受け部６ｃに対向するようにして、紙幣押さえ部６ａを設ける。紙幣押さえ部６ａにはギア６ｍ，モーター６ｎの駆動で回転するローラー６ｂを設ける。紙幣受け部６ｃの前後は、分岐部５のフレーム５ｃと戻し路７のフレーム７ｇによって所定の間隔を持って動きが制限される。紙幣押さえ部６ａは、Ｘ状の交差する部分を回転自在に取り付けることで伸縮する動きが可能となった伸縮部６ｈにより上方から吊るように支持され、伸縮部６ｈの一端をピニオン６ｊ，モーター６ｋの駆動で直線運動を行うラック６ｉに取り付ける。
さらに、戻し路７のフレーム７ｇには厚く重ねた紙幣を摩擦高く止める紙幣止め部６ｅを設ける。
次に、戻し路７を設ける。戻し路７は、まず、紙幣受け部６ｃの前後の一方を押さえるようにフレーム７ｇを設け、さらにフレーム７ｇの一部から半円弧状にフレーム７ｇを紙幣投入口３とベルト４ｐの間の送り路４に合流するように設け、フレーム７ｇに沿ってローラー７ａ〜７ｆを設ける。
【００１０】
次に、送り路４と分岐路５の分岐部分に、送り路４のベルト４ｐで送られてくる紙幣をそのまま送り路４で送るか、送り路４から分岐するように誘導して分岐路５に送るかを切替える切替部８を軸支された反対側に扇状ラック８ａを設け、扇状ラック８ａをピニオン８ｂ，モーター８ｃで駆動して切替えるように設ける。
次に、送り路４の送り先となる部分の外壁部分を開口して紙幣送出口９とする。
紙幣送出口９には近接して搬送ライン１２への合流部１１を設ける。合流部１１は、ローラー１１ａ〜１１ｆ及びギア１１ｈ，モーター１１ｉによって駆動される送りベルト１１ｇによってカーブさせるように直線状の搬送ライン１２に合流させるものである。
次に、複数設けられるメダル貸し機２に近接してそれぞれ設けられる合流部１１を直線状に接続するように搬送ライン１２を設ける。搬送ライン１２は対向して設けた送りベルト１２ａで挟んで送るようにして紙幣Ｂを搬送するものである。対向して設けられた送りベルト１２ａはギア１２ｄ，モーター１２ｅによって駆動される。さらに搬送ライン１２には紙幣通過センサー１２ｂを設ける。
次に、最も一方の端のメダル貸し機２に近接させて設けた合流部１１より搬送ライン１２で送る搬送ライン１２の端に紙幣保管部２０を設ける。紙幣保管部２０は図８に示すように送られた紙幣を整えて重ねるようにし一時的に保管するものである。紙幣保管部２０には、搬送ライン１２の紙幣の通過を検知して各送りベルト１２ａを駆動するモーター１２ｅを制御し、搬送ライン１２の状態をメダル貸し機２の制御装置１３に信号で伝達する制御装置１２ｃを設ける。
また、メダル貸し機２の紙幣投入口３に近い送り路４には、紙幣の通過を検知する紙幣通過センサー１４と紙幣の真偽、種類を検知する紙幣識別センサー１５を設ける。さらに、メダル貸し機２には、紙幣通過センサー１４と紙幣識別センサー１５、及び搬送ライン１２の制御装置１２ｃからの信号を入力し、メダル貸し機２の各モーターを制御する制御装置１３を設ける。
【００１１】
本実施例１において、遊技設備１のゲーム機２１を使用するために必要なメダルを得るために、メダル貸し機２の紙幣投入口３に紙幣Ｂを挿入すると、挿入された紙幣Ｂが紙幣通過センサー１４によって検知されることにより制御装置１３で制御してモーター４ｓを作動させてベルトローラー４ｋを駆動し、ベルト４ｐを回転させることによって、紙幣Ｂをさらにメダル貸し機２の内部に引き込むようにする。その際に紙幣識別センサー１５によって、紙幣Ｂの真偽、種類を識別し、正当な紙幣Ｂでないものや受け付けられない種類の紙幣Ｂの場合には、ベルト４ｐを逆回転させて、紙幣投入口３から挿入されたものの大部分が出るようにしてメダル貸し機２に紙幣Ｂを投入した人に返却するようにする。正当な紙幣Ｂであり、受け付けられる紙幣Ｂの場合にはベルト４ｐを回転させる。この際に、制御装置１３では、図１１に示す制御を行う。すなわち、搬送ライン１２の制御装置１２ｃから搬送ライン１２に紙幣Ｂが通過中又は紙幣詰まりなどのトラブル発生中なのか、紙幣Ｂを送り込んでよい状態なのかの信号を受ける。
紙幣Ｂを送り込んでよい状態であるならば、制御装置１３から信号を送って、モーター８ｃを制御して切替部８が送り路４を遮らない状態にし、図３に示すように送り路４で紙幣Ｂを送って紙幣送出口９より送り出し、かつ紙幣送出口９からの送り出しによって合流部１１内に紙幣Ｂが挿入されるようにし、合流部１１内で紙幣Ｂの送り方向を徐々にターンさせて略９０°送り方向を変向するように送りベルト１１ｇを回転させて紙幣Ｂを送る。次に送り方向をターンさせた紙幣Ｂは搬送ライン１２によってさらに送られ、紙幣保管部２０に整って重ねて一時的に保管する。紙幣保管部２０の紙幣は遊技設備１の係員によって適時回収される。このようになるべく、係員が監視しやすくゲーム機２１から離れた所定の位置に紙幣Ｂを集めることによって、不正などトラブルの防止になる。
次に、搬送ライン１２を別の紙幣Ｂが通過中であったり、紙幣詰まりなどのトラブルが発生しているような場合には、紙幣Ｂを制御装置１３の制御によってモーター８ｃの駆動により切替部８を作動させて送り路４を遮り、紙幣Ｂを分岐路５へ誘導する（図４（ａ），（ｂ））。紙幣Ｂは誘導路５を通ることによってカーブして１８０°ターンして、収容部６のストッパ６ｇと紙幣押さえ部６ａの間に位置することとなる（図４（ｃ））。
【００１２】
このように紙幣Ｂを収容部６内に誘導したならば、図６（ａ），図９に示すようにモーター６ｋの駆動によりラック６ｉを移動させ伸縮部６ｈを伸ばして紙幣押さえ部６ａを紙幣Ｂに向って移動させる。紙幣Ｂは、長い辺部分である両端部分をストッパ６ｇで支持されているので、紙幣押さえ部６ａをさらに紙幣Ｂに押さえつけることにより、紙幣Ｂを介して紙幣受け部６ｃを押し、スプリング６ｄを圧縮させ、かつ紙幣を凹状に湾曲又は折曲させる（図５（ａ），図６（ｂ））。
この状態で、さらに紙幣押さえ部６ａを紙幣Ｂに押し付けることによって、図５（ｂ），図６（ｃ）に示すように紙幣Ｂは、両端部分が湾曲又は折曲してストッパ６ｇを通過して、ストッパ６ｇと紙幣受け部６ｃの間に位置するようになる。
次に、紙幣押さえ部６ａを紙幣Ｂから離れるように移動させると、図５（ｃ），図６（ｄ）に示すように紙幣Ｂは、ストッパ６ｇとスプリング６ｄにより押し付けられる紙幣受け部６ｃにより挟まれるようにして確実に保持される。このようにすれば、複数枚の紙幣Ｂを確実に整った状態で保持できる。よって搬送ライン１２に紙幣詰まりやトラブルが発生しても、収容部６に紙幣Ｂを収容すれば、メダル貸し機２が使用できない状態になることがない。よって、ゲーム機を使用する人はトラブル少なく楽しく使用でき、営業的な面からも非常に好ましい。
【００１３】
このようにして、搬送ライン１２が使用できない状態で、収容部６に紙幣Ｂが収容された後、紙幣Ｂが投入されていない状態でかつ搬送ライン１２が受け付け可能な状態になると、図７（ａ），（ｂ）に示すように紙幣押さえ部６ａを紙幣Ｂに押し付けてモーター６ｎの駆動により紙幣押さえ部６ａのローラー６ｂを回転させて紙幣Ｂを戻し路７に送り込む。この際には、収容部６に多数枚の紙幣Ｂを重ねて収容している場合に重ねた最上部より下方の紙幣Ｂは、紙幣止め部６ｅに当たるようにして戻し路７に複数枚の紙幣Ｂが送られないようにする。紙幣Ｂは、戻し路７を送られてカーブしてターンするようにしてベルト４ｐと紙幣投入口３の間の送り路４の途中に合流するようにしさらに送り路４で送って、搬送ライン１２へ送る。このように本実施例１では図１０に示すように分岐路５、戻し路７によって収容部６での紙幣Ｂの収容及び収容部６の紙幣Ｂの搬送を行っている。
収容部６に収容した紙幣Ｂは開閉扉６ｆを開けて直接、収容部６から回収してもよいが、搬送ライン１２が使用できる状態になるとこのように速やかに収容部６の紙幣Ｂを送り路４に戻して搬送ラインに送り、所定の監視しやすいゲーム機から離れた場所に集めるのが不正防止となり好ましい。
このように本実施例１では、搬送ライン１２がトラブルなどで使用できなくなった状態でもメダル貸し機２を使用できるので、ゲーム機２１を使用している人やゲーム機２１への影響はなく、トラブルにより営業成績が落ちるようなことをなくすことができる。
【００１４】
実施例２（図１２，１３参照）
図１２，１３に示す実施例２は収容部に収容した紙幣を副送り路で送り路を介さず搬送ラインに送るようにした遊技設備における紙幣搬送回収方法及び遊技設備の例である。
図１２は実施例２の遊技設備における紙幣搬送回収方法に用いたメダル貸し機，合流部，搬送ラインの説明図である。図１３は実施例２の遊技設備における紙幣搬送回収方法の説明図である。
図中、２５は副送り路、２５ａ〜２５ｄは送りローラーである。
実施例２では、副送り路２５を設けて収容部６から送り路４を介さず合流部１１、搬送ライン１２に紙幣Ｂを送るようにしている。このように副送り路２５を設けるようにしてもよい。
【００１６】
図１４に示すのは、実施例の遊技設備における紙幣搬送回収方法の他の例である。
図１４は実施例の遊技設備における紙幣搬送回収方法の他の例の説明図である。
図１４に示すように搬送ライン１２が紙幣を受け入れられない場合には収容部６に紙幣Ｂを送って収容部６で紙幣Ｂを保管するようにしてもよい。
【００１７】
【発明の効果】
本発明によれば、搬送ラインに紙幣詰まりが発生していても、搬送ラインがトラブルで使用できなくても、搬送ラインを紙幣が通過中であっても、常に連続して紙幣を投入してメダルや小球などの貸し出しが行え、人が手で紙幣の回収を行うことも可能で、中断することなく遊技を行うことができ、営業面からも非常に好ましい遊技設備における紙幣搬送回収方法にできる。
収容部から送り路に紙幣を戻す戻し路を設けたものと収容部から搬送ラインに紙幣を送る副送り路を設けたものは、収容部に紙幣を収容したままにしないようにして、回収の手間を省けるようにし、かつ不正防止にも役立つようにできる。
収容部に収容した紙幣を人が手で回収できるようにしたものは、搬送ラインが使用できない状態が長い時間になっても貸し機を問題なく使用できるようにする。
送り路に沿ってローラー又はベルトを設けたものは、紙幣詰まりを防止し、確実に紙幣を搬送できる。
【図面の簡単な説明】
【図１】  実施例１の遊技設備における紙幣搬送回収方法を用いた遊技設備のメダル貸し機・合流部・搬送ラインの説明図である。
【図２】  実施例１の遊技設備における紙幣搬送回収方法を用いた遊技設備の説明図である。
【図３】  実施例１の遊技設備における紙幣搬送回収方法を用いた遊技設備のメダル貸し機に投入された紙幣を搬送ラインに送る状態を示す説明図である。
【図４】  実施例１の遊技設備における紙幣搬送回収方法を用いた遊技設備のメダル貸し機に投入された紙幣を収容部に送る状態を示す説明図である。
【図５】  実施例１の遊技設備における紙幣搬送回収方法を用いた遊技設備のメダル貸し機の収容部での紙幣を保持する状態を示す説明図である。
【図６】  実施例１の遊技設備における紙幣搬送回収方法を用いた遊技設備のメダル貸し機の収容部での紙幣を保持する状態を示す説明図である。
【図７】  実施例１の遊技設備における紙幣搬送回収方法を用いた遊技設備のメダル貸し機の収容部から紙幣を送り路に戻す状態を示す説明図である。
【図８】  実施例１の遊技設備における紙幣搬送回収方法を用いた遊技設備の紙幣保管部の説明図である。
【図９】  実施例１の遊技設備における紙幣搬送回収方法を用いた遊技設備の説明図である。
【図１０】  実施例１の遊技設備における紙幣搬送回収方法を用いた遊技設備の説明図である。
【図１１】  実施例１の遊技設備における紙幣搬送回収方法を用いた遊技設備のメダル貸し機の制御装置の処理の流れを示すフローチャートである。
【図１２】  実施例２の遊技設備における紙幣搬送回収方法に用いたメダル貸し機，合流部，搬送ラインの説明図である。
【図１３】  実施例２の遊技設備における紙幣回収方法の説明図である。
【図１４】  実施例の遊技設備における紙幣搬送回収方法の他の例の説明図である。
【符号の説明】
１  遊技設備
２  メダル貸し機
３  紙幣投入口
４  送り路
４ａ  送りローラー
４ｂ  送りローラー
４ｃ  送りローラー
４ｄ  送りローラー
４ｅ  送りローラー
４ｆ  送りローラー
４ｇ  送りローラー
４ｈ  送りローラー
４ｉ  送りローラー
４ｊ  送りローラー
４ｋ  ベルトローラー
４ｌ  ベルトローラー
４ｍ  ベルトローラー
４ｎ  ベルトローラー
４ｏ  ベルトローラー
４ｐ  ベルト
４ｑ  フレーム
４ｒ  ギア
４ｓ  モーター
５  分岐路
５ａ  送りローラー
５ｂ  送りローラー
５ｃ  フレーム
６  収容部
６ａ  紙幣押さえ部
６ｂ  ローラー
６ｃ  紙幣受け部
６ｄ  スプリング
６ｅ  紙幣止め部
６ｆ  開閉扉
６ｇ  ストッパ
６ｈ  伸縮部
６ｉ  ラック
６ｊ  ピニオン
６ｋ  モーター
６ｍ  ギア
６ｎ  モーター
７  戻し路
７ａ  ローラー
７ｂ  ローラー
７ｃ  ローラー
７ｄ  ローラー
７ｅ  ローラー
７ｆ  ローラー
７ｇ  フレーム
８  切替部
８ａ  扇状ラック
８ｂ  ピニオン
８ｃ  モーター
９  紙幣送出口
１１  合流部
１１ａ  ローラー
１１ｂ  ローラー
１１ｃ  ローラー
１１ｄ  ローラー
１１ｅ  ローラー
１１ｆ  ローラー
１１ｇ  送りベルト
１１ｈ  ギア
１１ｉ  モーター
１２  搬送ライン
１２ａ  送りベルト
１２ｂ  紙幣通過センサー
１２ｃ  制御装置
１２ｄ  ギア
１２ｅ  モーター
１３  制御装置
１４  紙幣通過センサー
１５  紙幣識別センサー
２０  紙幣保管部
２１  ゲーム機
２５  副送り路
２５ａ  送りローラー
２５ｂ  送りローラー
２５ｃ  送りローラー
２５ｄ  送りローラー
Ｂ  紙幣
【図１】
0003756428.tif 000002
【図２】
0003756428.tif 000003
【図３】
0003756428.tif 000004
【図４】
0003756428.tif 000005
【図５】
0003756428.tif 000006
【図６】
0003756428.tif 000007
【図７】
0003756428.tif 000008
【図８】
0003756428.tif 000009
【図９】
0003756428.tif 000010
【図１０】
0003756428.tif 000011
【図１１】
0003756428.tif 000012
【図１２】
0003756428.tif 000013
【図１３】
0003756428.tif 000014
【図１４】
0003756428.tif 000015